(57)【要約】  電気自転車１のディスプレイ・ユニット２４用の遠隔制御ユニット２６が開示されており、遠隔制御ユニット２６は、ハンドルバー・グリップ２８の領域内にディスプレイ・ユニット２４から離れて位置し、支援レベルの選択のための支援選択キー３０、３２を有し、ディスプレイ・ユニット２４上に示すメニュー項目のメニュー・ナビゲーションおよび選択のための少なくとも１つの入力デバイス３４を有する。本発明によれば、入力ユニット３４および支援選択キー３０、３２はともに共通線６０に沿って位置する。さらに、そのような遠隔制御ユニット２６を備える電気自転車１が開示される。（図３）
2018525276.tif 000002
【特許請求の範囲】
【請求項１】
ハンドルバー・グリップ（２８）の領域内にディスプレイ・ユニット（２４）から離れて位置し、支援レベルの選択のための支援選択キー（３０、３２）と、ディスプレイ・ユニット（２４）上に示すメニュー項目のメニュー・ナビゲーションおよび選択のための少なくとも１つの入力デバイス（３４）とを備え、該入力デバイス（３４）および支援選択キー（３０、３２）が、共通線（６０）に沿って位置する、電気自転車（１）の前記ディスプレイ・ユニット（２４）用の遠隔制御ユニット（２６）。
【請求項２】
前記入力デバイスが、ジョイスティック（３４）として構成される請求項１に記載の遠隔制御ユニット。
【請求項３】
前記ジョイスティック（３４）が、４方向に移動可能であり、メニュー項目の選定／選択が、前記ジョイスティック（３４）上にかかる圧力によって実施される請求項２に記載の遠隔制御ユニット。
【請求項４】
前記支援選択キー（３０、３２）が、互いに向かって傾斜して位置する請求項１から３のいずれか一項に記載の遠隔制御ユニット。
【請求項５】
前記支援選択キー（３０、３２）が、自由作動セクション（３８）と、弾性的に構成された端部セクション（４０）とを有する請求項１から４のいずれか一項に記載の遠隔制御ユニット。
【請求項６】
光スイッチ（４２）が、前記支援選択キー（３０、３２）間の領域内に横方向にずらされて位置する請求項１から５のいずれか一項に記載の遠隔制御ユニット。
【請求項７】
前記光スイッチ（４２）が、ボタンに触れることによって順次起動される複数の機能を有する請求項６に記載の遠隔制御ユニット。
【請求項８】
枢動軸（４４）に沿って中央に装着された、ギア選択用のロッカ・スイッチ（４６）を備える、請求項１から７のいずれか一項に記載の遠隔制御ユニット。
【請求項９】
上側部分（５２）およびモジュール式に交換可能な下側部分（５４）を備え、前記ロッカ・スイッチ（４６）が、前記下側部分（５４）に割り当てられる請求項８に記載の遠隔制御ユニット。
【請求項１０】
前記ロッカ・スイッチ（４６）が、略中央に位置する自動キー（５８）を有する請求項８または９に記載の遠隔制御ユニット。
【請求項１１】
前記遠隔制御ユニット（２６）が、振動モータを有する請求項１から１０のいずれか一項に記載の遠隔制御ユニット。
【請求項１２】
電気自転車（１）のディスプレイ・ユニット（２４）用の遠隔制御ユニット（２６）を備える電気自転車であって、前記遠隔制御ユニット（２６）が、ハンドルバー・グリップ（２８）の領域内に前記ディスプレイ・ユニット（２４）から離れて位置し、支援レベルの選択のための支援選択キー（３０、３２）と、ディスプレイ・ユニット（２４）上に示されるメニュー項目のメニュー・ナビゲーションおよび選択のための少なくとも１つの入力デバイス（３４）とを備え、該入力デバイス（３４）および支援選択キー（３０、３２）が、共通線（６０）に沿って位置する、電気自転車。
【発明の詳細な説明】
【技術分野】
【０００１】
本発明は、請求項１のプリアンブルに係る遠隔制御ユニットおよび請求項１２のプリアンブルに係る電気自転車に関する。
【背景技術】
【０００２】
電動アシスト自転車またはｅバイクなどの電気自転車は、使いやすく、無公害の輸送手段として大変人気がある。さまざまな応用分野に対して、個々に適したタイプの自転車が利用可能である。これらには、とりわけ、道路やなだらかな地形におけるレジャー時の使用または通勤に合わせて最適化された自転車（例えば、シティバイクやツーリングバイク）およびオフロードでの使用、特に山地形に合わせたさまざまな設計で開発されているｅマウンテンバイク（Ｅ−ＭＴＢ）が含まれる。電気自転車は、乗り手に大きな負担をかけることなく作動半径を増大させ、平均運転速度を増大させる可能性を提供する。              
【０００３】
駆動ユニットおよび電池ユニットに加えて、ディスプレイ・ユニットおよびディスプレイ・ユニット用の遠隔制御ユニットも有する電気自転車が、先行技術から知られている。遠隔制御ユニットは、ハンドルバー・グリップの領域内にディスプレイ・ユニットから離れて位置し、電気駆動装置の支持レベルの選定のための支援選択キーが設けられる。さらに、遠隔制御ユニットは、ディスプレイ・ユニット上に示されるメニュー項目のメニュー・ナビゲーションおよび選択のための入力デバイスを有する。そのような遠隔制御ユニットの欠点は、頻繁に使用される支援選択キーおよび入力デバイスが、互いに隣り合って位置するため、乗り手の親指によって人間工学的に操作できないことである。入力デバイスを操作するために、安全に係わる乗り手の手の再配置が頻繁に必要となる。
【発明の概要】
【発明が解決しようとする課題】
【０００４】
このため、本発明の目的は、電動機動性を運動系およびライフスタイル志向のサイクリストの要求に合わせる新規の遠隔制御ユニットを提供することである。
【課題を解決するための手段】
【０００５】
この目的は、請求項１の特徴の組み合わせを有する遠隔制御ユニットおよび請求項１２に係る電気自転車によって達成される。
【０００６】
本発明に係る自転車のディスプレイ・ユニット用の遠隔制御ユニットは、ハンドルバー・グリップの領域内にディスプレイ・ユニットから離れて位置し、支援レベルの選択のための支援選択キーを有し、ディスプレイ・ユニット上に示されるメニュー項目のメニュー・ナビゲーションおよび選択のための少なくとも１つの入力デバイスを有する。本発明によれば、入力ユニットおよび支援選択キーは、共通線に沿って位置する。共通線は、人間工学的に弧状に多次元的に湾曲することができる。入力デバイスおよびキーは、好ましくは、これらが乗り手の親指によって人間工学的に操作可能なように上下に位置する。支援選択キーおよび入力デバイスを操作させるために、安全に係わる乗り手の手の再配置は、必要とされない。
【０００７】
本発明の特に好ましい実施形態では、入力デバイスは、ジョイスティックとして構成される。その結果、ディスプレイ・ユニット上に示されるメニュー項目のメニュー・ナビゲーションおよび選択は、好ましくは乗り手の親指によって、直感的に人間工学的に実施することができる。
【０００８】
ジョイスティックは、好ましくは、４方向（上方向および下方向、左および右）すべてに移動可能であり、メニュー項目の選択／選択は、ジョイスティックにかかる圧力を活用して実施される（圧力機能）。メニュー項目のメニュー・ナビゲーションおよび選択は、多機能ジョイスティックを用いて実施され、それにより、さらなる作動要素は必要とされない。このため、遠隔制御ユニットは、かなりコンパクトで見た目が美しく構成される。ジョイスティックは、具体的には、曲線状コーナーを有する矩形のバックライト・シンボルを有していてもよい。
【０００９】
支援選択キーが互いに傾斜するように位置する場合、特に有利であることが判明している。この場合、支援レベルの選択は、乗り手の親指によって実施されてもよい。支援選択キーは、好ましくは凹面セクションを形成する。親指は、互いに上下に位置するキー間に載せることができるので、操作が直感的に実施され、支援レベルを増大させるための支援選択キーは、好ましくは、進行方向の前方に位置し、支援レベルを低減させるための支援選択キーは、進行方向の後方に位置する。
【００１０】
さらに、支援選択キーが、乗り手の手に向けて傾斜することが好ましい。操作は、好ましくは乗り手の親指によって人間工学的に実施され得る。
【００１１】
支援レベルを増大させるための支援選択キーは、好ましくは、プラスシンボルで示され、支援レベルを低減させるための支援選択キーは、好ましくはマイナスシンボルで示される。このシンボルは、好ましくはバックライト付きであり、このため、視界が悪い状態でも認識可能である。
【００１２】
製造技術および操作に関して、支援選択キーが、乗り手の手を向く自由作動セクションと、弾性的に装着された端部セクションとを有する場合に有利であると判明している。
【００１３】
本発明の好ましい実施形態によれば、光スイッチが、支援選択キー間の領域内で側方にずらされる。好ましくは、光スイッチは、乗り手の手から離れる方向に支援選択キーの隣に位置する。光スイッチが支援選択キー間の中央で横方向にずらされて位置する場合、特に有利であることが判明している。
【００１４】
好ましくは、光スイッチは、３つの機能を有し、その各々は、キーを押さえることによって順次起動される：キーを（２秒以上）押さえ続ける、点灯／消灯；キーを押す、すれ違いビーム；キーを２回押す、明るくする。その結果、有利には、点灯／低光／高光／消灯のための１つのボタンが存在する。光スイッチは、バックライト光シンボルを有していてもよい。
【００１５】
ギア付きモータの電子ギアシフトを有する電気自転車では、遠隔制御ユニットは、好ましくは、枢動軸に沿って、ギア選択のための中央に装着されたロッカ・スイッチを有する。本発明によれば、ロッカ・スイッチが２つの作動表面を有する場合、有利であり、第１の作動表面が、乗り手の手を向く側に位置し、第２の作動表面が、乗り手の手から外方を向く側に位置する。好ましくは、入力デバイス、支援選択キー、およびロッカ・スイッチは、共通線に沿って位置する。キーは、好ましくは、これらが乗り手の親指によって人間工学的に動作可能なように上下に位置する。支援選択キーおよびロッカ・スイッチを操作するために、安全に係わる乗り手の手の再配置は必要とされない。
【００１６】
遠隔制御ユニットの好ましい実施形態では、遠隔制御ユニットは、上側部分と、モジュール式に交換可能な下側部分とを有し、ロッカ・スイッチは、下側部分に割り当てられる。このため、遠隔制御ユニットは、電気ギア付きモータを有する自転車および有さない自転車にモジュール式に適合可能である。この目的のために、クランプ半体として設計された下側部分は、ロッカ・スイッチを有してまたは有さずに装着される。上側部分および下側部分各々の締め付け部分は、好ましくは、ハンドルバーの約２分の１に係合する。上側部分および下側部分は、好ましくは、可撓性バンドによって電気的に接続される。
【００１７】
ロッカ・スイッチは、好ましくは、略中央に位置する自動キーを有する。自動キーは、好ましくは、動かず、自動ギア選択を起動する。例えば、これは、ギア付きモータの第１または第２のギアを起動する。
【００１８】
ハンドルバー・グリップ軸の方向に見ると、入力デバイス、支援選択キーおよびロッカ・スイッチは、好ましくは、凸状に弓状の共通線に沿って延び、その曲率曲線は、乗り手の親指の移動範囲に人間工学的に適合される。
【００１９】
好ましくは、遠隔制御ユニットは、振動モータを有する。例えば、最も高い支援レベルに到達すると、短い振動によって合図され得る。さらに、切り替え操作が、短い振動によって提案され得る。好ましくは、ディスプレイ・ユニット上でギア提案が行われ、例えばディスプレイ上の上方向矢印はシフトアップを提案し、振動は、ディスプレイ・ユニットが新しい情報を表示していることを乗り手に通知する。
【００２０】
本発明による自転車は、電気自転車のディスプレイ・ユニット用の遠隔制御ユニットを有し、遠隔制御ユニットは、ハンドルバー・グリップの領域内にディスプレイ・ユニットから離れて位置することができ、支援レベルの選択のための支援選択キーを有し、ディスプレイ・ユニット上に示されるメニュー項目のメニュー・ナビゲーションおよび選択のための少なくとも１つの入力デバイスを有する。本発明によれば、入力ユニットおよび支援選択キーは、共通線に沿って位置する。その結果、乗り手による特に人間工学的かつ安全な操作が可能となる。
【００２１】
本発明の特に好ましい例示的な実施形態では、電子制御ユニット、駆動ユニット、および電池ユニットが、さらに設けられる。電子制御ユニットが自転車フレームのシート・チューブ内に位置する場合に特に有利であることが判明している。その結果、フレームと組み立て要素との間の高度に統合された相互作用が達成される。特に自転車フレームのダウン・チューブ内に位置する電池ユニットの設計が限定されずに、電池セルのためのより広い空間ひいては長い作動距離を利用できる。電池ユニットおよび電子制御ユニットの熱デカップリングにより、高い効率性が達成される。制御ユニット用の締め付けオプションを有する特別な電池ハウジングは必要とされない。全体として、最高強度のコンパクトで均一なフレーム形状が、この変形例において達成される。したがって、本発明に係る概念は、ライフスタイルに関心を持つ、意欲的なスポーツ系の乗り手の要求をも満たす。
【００２２】
電子制御ユニットがシート・チューブの下側領域内に駆動ユニットに隣接して位置する場合、特に有利であることが判明している。その結果、電気線の長さは、最小限に低減される。その結果、電気自転車は、最適化された空間要求事項に合わせた構造的かつ審美的に最良の特徴を有する最適化されたフレーム断面を有する。
【００２３】
好ましい例示的な実施形態では、電子制御ユニットは、駆動ユニットのフレーム側駆動キャリア（モータブラケット）に取り付けられる。その結果、さらなる締め付け要素は必要とされない。重量の低減が達成され得る。
【００２４】
電子制御ユニットには、好ましくは、駆動ユニットに対向する端部セクションにおいてのみ線材の接続部が設けられるので、構造が簡易化され、線材の長さが最小となる。すべての線材は、好ましくは、フレームの底部において外に誘導される。
【００２５】
本発明の特に好ましい実施形態によれば、少なくとも１つの止め具、具体的には、シート・ポスト用のボトル・ホルダの締め付け要素、例えばボトル・ホルダ・ブッシュが、電子制御ユニットの上方に位置する。その結果、電子制御ユニットが長いシート・ポストによって損傷を受けることが、防止される。
【００２６】
好ましくは、遠隔制御ユニットの少なくとも１つの信号線が、ディスプレイ・ユニットに接続され、ディスプレイ・ユニットの少なくとも１本の電気線が、電子制御ユニットに接続される。遠隔制御ユニットとディスプレイ・ユニットとの間に１本だけのバス線が設けられる場合、特に有利であることが判明している。さらに、ディスプレイ・ユニットと電子制御ユニットとの間に１本だけのバス線が設けられる場合、特に有利である。したがって、敷設されるケーブルの数ひいては重量および組み立てコストが、最小限に抑えられる。
【００２７】
ブレーキ信号線がディスプレイ・ユニットに直接的に接続される場合、特に有利である。その結果、電子制御ユニットとディスプレイとの間には、１本の電気線のみが必要とされる。線材の数が低減される。ブレーキがかけられたとき、ブレーキ灯が起動される。
【００２８】
したがって、遠隔制御ユニットが、複数の信号線を含む単一のバスケーブルによってディスプレイ・ユニットに接続される場合、好ましくなる。
【００２９】
本発明の特に好ましい実施形態によれば、センサ線が、電子制御ユニットに直接的にそれぞれ接続される。この場合、線材の数も低減される。具体的には、以下が設けられてよい：キックスタンドのセンサ（スタンドが折り畳まれているときの安全停止）、ギアリングのセンサ、加速度センサ（３Ｄジャイロおよび加速度計）、折り畳み自転車における自転車の折り畳みを検出するためのセンサ、圧力センサおよび温度センサ。
【００３０】
通信は、好ましくは、ＣＡＮバス方法、特に好ましくはＣＡＮオープン法によって実施される。ＣＡＮ変換装置が、適合要求事項のために設けられる。
【００３１】
本発明は、すべてのタイプの自転車、特にマウンテンバイク（ハードテイル設計またはフルサスペンション設計の両方）に広く使用可能であるが、他の自転車、例えばロードバイクフレーム、したがって最終的には結果として、ツーリングバイク、シティバイク、もしくはクロスバイク、または他の現代型の自転車に使用することもできる。そのコンパクトで魅力的な設計により、クラシック自転車および電気自転車の利点を大幅に組み合わせたバイクの構造を可能にする。
【００３２】
さらに好ましい実施形態は、従属請求項の主題である。
【００３３】
本発明の好ましい実施形態が、次いで、添付の図を参照してより詳細に説明される。この目的のために、以下の図面が詳細に示される。
【図面の簡単な説明】
【００３４】
【図１】本発明による電気自転車の側面図である。
【図２】ハンドルバーの領域内の図１からの電気自転車の詳細図である。
【図３】ハンドルバーにある遠隔制御ユニットの詳細図である。
【図４】ハンドルバーにある遠隔制御ユニットの側面図である。
【図５】遠隔制御ユニットの別の詳細図である。
【図６】遠隔制御ユニットの別の詳細図である。
【発明を実施するための形態】
【００３５】
図１は、本発明による電気自転車１の側面図を示し、電気自転車１は、ダイアモンドフレームとして構成された例となる自転車フレーム２を有し、ダウン・チューブ４と、トップ・チューブ６と、シート・チューブ８と、ヘッド・チューブ１０と、駆動ユニット１４用の駆動キャリア１２と、シート支柱１６および下側支柱１８と、電池ユニット２０とを有する。
【００３６】
具体的には、ハンドルバー２２の領域内の図１からの電気自転車１の詳細な図を示す図２からわかるように、ハンドルバー２２上の中央に位置するディスプレイ・ユニット２４および遠隔制御ユニット２６が設けられる。遠隔制御ユニット２６は、左ハンドルバー・グリップ２８の領域内にディスプレイ・ユニット２４から離れて位置し、モータ支援レベルの選択のための２つの支援選択キー３０、３２と、ディスプレイ・ユニット２４上に表示されたメニュー項目のメニュー・ナビゲーションおよび選択のためのジョイスティック３４として設計された入力デバイスとを有する。
【００３７】
ハンドルバー２２上の遠隔制御ユニット２６の詳細図を示す図３によれば、入力デバイス３４および支持選択ボタン３０、３２は、共通線６０に沿って位置する。ジョイスティック３４およびキー３０、３２は、乗り手の親指によって人間工学的に動作可能なように互いに上下に位置する。支持選択ボタン３０、３２およびジョイスティック３４を作動させるために、安全に係わる乗り手の手の再配置は必要とされない。
【００３８】
ジョイスティック３４は、好ましくは、マッシュルーム様の曲線状縁を有する正方形として構成され、４方向（上方向および下方向、左および右）すべてに移動可能であり、メニュー項目の選択／選択は、ジョイスティック３４にかかる圧力を活用して実施される（圧力機能）。メニュー項目のメニュー・ナビゲーションおよび選択は、多機能ジョイスティック３４を用いて実施されるので、さらなる操作要素は必要とされない。このため、遠隔制御ユニット２６は、極めてコンパクトで見た目が美しく構成される。ジョイスティック３４は、具体的には、丸みを帯びたコーナーを有する矩形の、フレーム様のバックライト・シンボル３６を有する。
【００３９】
具体的には、ハンドルバー２２にある遠隔制御ユニット２６の側面図を示す図４からわかるように、支援選択キー３０、３２は、約１２０°から１７０°の範囲の、好ましくは約１５５°の角度αで互いに傾斜して位置する。この場合、支援レベルの選択は、乗り手の親指によって実施されてもよい。支援選択キー３０、３２は、好ましくは凹状セクションを形成する。親指は、互いに上下に位置するキー３０、３２間に載せることができるので、操作が直感的に実施され、支援レベルを増大させるための支援選択キー３０は、進行方向の前方に位置し、支援レベルを低減させるための支援選択キー３２は、進行方向の後方および下方に位置する。さらに、支援選択キー３０、３２は、乗り手の手の方向に下方向に傾斜して位置する。操作は、好ましくは乗り手の親指によって人間工学的に実施され得る。
【００４０】
支援レベルを増大させるための支援選択キー３０は、プラスシンボルで示され、支援レベルを低減させるための支援選択キー３２は、マイナスシンボルで示される（図３を比較）。シンボルはバックライト付きであり、このため、視界が悪い状態でも認識可能である。
【００４１】
製造技術および操作に関して、遠隔制御ユニット２６の支援選択キー３０、３２が、乗り手の手を向く自由作動セクション３８と、共通の弾性的に装着された端部セクション４０とを有する場合に有利であると判明している。
【００４２】
さらに、遠隔制御ユニット２６は、支援選択キー３０、３２間の領域内の中央に位置し、横方向にずらされた幅広形態の矩形光スイッチ４２を有する。光スイッチ４２は、乗り手の手から離れる方向で支援選択キー３０、３２に隣接して、それらの端部セクション４０の領域内に位置する。
【００４３】
好ましくは、光スイッチ４２は、３つの機能を有し、その各々は、キーを押さえることによって順次起動される：キーを（２秒以上）押さえ続ける、点灯／消灯；キーを押す、すれ違いビーム；キーを２回押す、明るくする。その結果、有利には、点灯／低光／高光／消灯のための１つのボタンが存在する。光スイッチは、バックライト付き光シンボルを有する。
【００４４】
具体的には、遠隔制御ユニット２６のさらなる詳細図を示す図５からわかるように、図示する電気自転車には、ギア付きモータの電子ギアシフトが設けられ、遠隔制御ユニット２６は、枢動軸４４に沿って中央に装着されたギア選択のためのロッカ・スイッチ４６を有する。
【００４５】
図３によれば、ロッカ・スイッチ４４は、２つの作動表面４８、５０を有し、第１の作動表面４８は、乗り手の手を向く側に位置し、第２の作動表面５０は、乗り手の手から外方を向く側に位置する。ジョイスティック３６、支援選択キー３０、３２およびロッカ・スイッチ４６は、共通線６０に沿って位置する。キーは、乗り手の親指によって人間工学的に動作可能なように上下に位置する。支持選択ボタン３０、３２、ジョイスティック３６およびロッカ・スイッチ４６を操作するために、安全に係わる乗り手の手の再配置は必要とされない。
【００４６】
具体的には、図４および５に示されるように、遠隔制御ユニット２６は、上側部分５２と、モジュール式に交換可能な下側部分５４とを有し、ロッカ・スイッチ４６は、乗り手の手の方向に弧状に湾曲して延びる下側部分５４の支持アーム５６に割り当てられる。このため、遠隔制御ユニット２６は、電子ギア付きモータなしに自転車にモジュール式に適合可能である。この目的のために、クランプ半体として設計された下側部分は、ロッカ・スイッチを有して、または、有さずに装着される。ロッカ・スイッチを有さない変形例は図示されていない。この場合、支持アームも省かれる。上側部分５２および下側部分５４は、内側に位置する可撓バンドを活用して電気的に接続される（図示せず）。
【００４７】
具体的には、遠隔制御ユニット２６のさらに詳細な図を示す図６からわかるように、ロッカ・スイッチ４６は、略中央に位置する正方形の自動キー５８を有する。自動キー５８は、好ましくは、ロッカ・スイッチ４６と共に動かず、自動ギア選択を起動する。
【００４８】
ハンドルバー・グリップ軸の方向で見ると、ジョイスティック３４、支援選択キー３０、３２およびロッカ・スイッチ４６がともに凸状で弧状の共通線６０（図５の点線）に沿って延び、その曲率曲線は、乗り手の親指の移動範囲に人間工学的に適合される。
【００４９】
本発明は、すべてのタイプの自転車、特にマウンテンバイク（ハードテイル設計またはフルサスペンション設計の両方）に使用可能であるが、他の自転車、例えばロードバイクフレーム、したがって最終的には結果として、ツーリングバイク、シティバイク、もしくはクロスバイク、または他の現代型の自転車に使用することもできる。そのコンパクトで魅力的な設計により、クラシック自転車および電気自転車の利点を大きく組み合わせたバイクの構造を可能にする。
【００５０】
本発明の実施形態は、図面に示され上記で説明したような例には限定されないが、当業者によって複数の変形例において可能である。
【００５１】
電気自転車１のディスプレイ・ユニット２４用の遠隔制御ユニット２６が開示されており、遠隔制御ユニット２６は、ハンドルバー・グリップ２８の領域内にディスプレイ・ユニット２４から離れて位置し、支援レベルの選択のための支援選択キー３０、３２を有し、ディスプレイ・ユニット２４上に示すメニュー項目のメニュー・ナビゲーションおよび選択のための少なくとも１つの入力デバイス３４を有する。本発明によれば、入力ユニット３４および支援選択キー３０、３２がともに共通線６０に沿って位置する。さらに、そのような遠隔制御ユニット２６を備える電気自転車１が、開示される。
【符号の説明】
【００５２】
１  電気自転車
２  自転車フレーム
４  ダウン・チューブ
６  トップ・チューブ
８  シート・チューブ
１０  ヘッド・チューブ
１２  駆動キャリア
１４  駆動ユニット
１６  シート支柱
１８  下側支柱
２０  電池ユニット
２２  ハンドルバー
２４  ディスプレイ・ユニット
２６  遠隔制御ユニット
２８  左ハンドルバー・グリップ
３０  支援選択キー
３２  支援選択キー
３４  ジョイスティック
３６  シンボル
３８  作動セクション
４０  端部セクション
４２  光スイッチ
４４  枢動軸
４６  ロッカ・スイッチ
４８  作動表面
５０  作動表面
５２  上側部分
５４  下側部分
５６  支持アーム
５８  自動キー
６０  線材
【図１】
2018525276.tif 000003
【図２】
2018525276.tif 000004
【図３】
2018525276.tif 000005
【図４】
2018525276.tif 000006
【図５】
2018525276.tif 000007
【図６】
2018525276.tif 000008
【国際調査報告】
2018525276.tif 000009
2018525276.tif 000010
2018525276.tif 000011
2018525276.tif 000012
2018525276.tif 000013
2018525276.tif 000014